(57)【要約】      （修正有）【課題】要求にあわせて容易に低コストで検出スイッチの構造を変更可能なカード用コネクタ装置を提供する。【解決手段】カードを挿抜可能で、カードの挿入および排出状態を検出する検出スイッチ１５を備えたカード用コネクタ装置において、検出スイッチはカードの挿抜動作に連動して動作可能な可動接点端子１５ａと、可動接点端子が当接可能で複数設けられた固定接点端子１５ｂ、１５ｃと、可動接点端子と固定接点端子との導通状態を外部に出力する出力端子と、カードが未挿入時に可動接点端子を所定の位置に保持する保持部材と、を有し、可動接点端子は複数の固定接点端子に接離可能であり、保持部材は、固定接点端子に対する可動接点端子の初期位置を決める位置決め部材として設けられ、可動接点端子の初期位置を変えることで検出スイッチの構造を変更可能とした。【選択図】図３
0003175424.tif 000002
【実用新案登録請求の範囲】
【請求項１】
記録媒体であるカードを内部へ挿抜可能で、前記カードの挿入状態あるいは排出状態を検出する検出スイッチを備えたカード用コネクタ装置において、
前記検出スイッチは前記カードの挿抜動作に連動して動作可能な可動接点端子と、
前記可動接点端子が当接可能で複数設けられた固定接点端子と、
前記可動接点端子と前記固定接点端子との導通状態を外部に出力する出力端子と、
前記カードが未挿入時に前記可動接点端子を所定の位置に保持する保持部材と、
を有し、
前記可動接点端子は前記複数の固定接点端子に接離可能であり、
前記保持部材は、前記固定接点端子に対する前記可動接点端子の初期位置を決める位置決め部材として設けられていることを特徴とするカード用コネクタ装置。
【請求項２】
前記複数の固定接点端子は第１の固定接点端子と第２の固定設定端子とを有し、前記第１の固定接点端子と前記第２の固定設定端子とは離間して配設され、
前記可動接点端子は、前記カードの挿入に伴い前記第１の固定接点端子から前記第２の固定設定端子へ向かう方向に移動し、
前記保持部材は第１の保持位置に配設され、
前記カードが未挿入の状態で、前記可動接点端子は前記第１の保持位置に位置し、前記第１の固定接点端子に接触した状態で保持され、前記カードの挿入に伴い、前記可動接点端子はいずれの前記固定接点端子とも接触しない位置に移動し、さらに前記第２の固定接点端子に接触した状態となることを特徴とする請求項１に記載のカード用コネクタ装置。
【請求項３】
前記複数の固定接点端子は第１の固定接点端子と第２の固定接点端子とを有し、前記第１の固定接点端子と前記第２の固定接点端子とは離間して配設され、
前記可動接点端子は、前記カードの挿入に伴い前記第１の固定接点端子から前記第２の固定接点端子へ向かう方向に移動し、
前記保持部材は第２の保持位置に配設され、
前記カードが未挿入の状態で、前記可動接点端子は前記第２の位置に位置し、いずれの前記固定接点端子とも接触しない状態で保持され、前記カードの挿入に伴い前記可動接点端子は前記第２の固定接点端子に接触した状態となることを特徴とする請求項１に記載のカード用コネクタ装置。
【請求項４】
前記第１の固定接点端子と前記第２の固定接点端子とは、それぞれ同一平面から引き起こした片持ち梁状に形成されており、前記カードの挿入方向と交差する方向に並列に配列されるとともに、前記第１の固定接点端子の自由端は前記カードの挿入方向手前側に配置され、前記第２の固定接点端子の自由端は前記カードの挿入方向奥側に配置され、
前記可動接点端子は、前記第１の固定接点端子と前記第２の固定接点端子とを順次経由し、前記カードの挿入に伴って前記カードの挿入方向へ押圧されることで移動可能に配置されていることを特徴とする請求項２または請求項３に記載のカード用コネクタ装置。
【請求項５】
前記構成部品の脱落を防ぐカバーを有し、前記カバーは、前記可動接点端子を前記カードが挿入される方向に抗する方向へ付勢する付勢部を備えていることを特徴とする請求項１ないし請求項４のいずれかに記載のカード用コネクタ装置。
【請求項６】
前記可動接点端子は、その先端部に可動方向に平板が延在するように形成された摺接部を有することを特徴とする請求項１ないし請求項５のいずれかに記載のカード用コネクタ装置。
【請求項７】
前記可動接点端子は前記カードと当接可能な絶縁体からなる当接部材を有し、
前記当接部材は前記可動接点端子の先端部側を覆うように形成され、前記摺接部は前記当接部が形成する平面から該平面と面一に露出して設けられ、
前記摺接部材の板厚方向に対する前記当接部材の厚さ寸法は、前記摺接部の板厚寸法よりも大きいことを特徴とする請求項６に記載のカード用コネクタ装置。
【請求項８】
前記摺接部は前記第１の固定接点端子および第２の固定接点端子と摺接可能で、前記第１の固定接点端子および第２の固定接点端子は前記当接部材と当接した後に前記摺接部と当接することを特徴とする請求項７に記載のカード用コネクタ装置。
【考案の詳細な説明】
【技術分野】
【０００１】
本考案は、メモリーカード（以後、カードとする）と称される概ね矩形で板状の記録媒体を内部に挿入したことを検出可能な検出スイッチを備えたカード用コネクタ装置に関し、特に、要求にあわせて仕様を容易に切り替えることができる検出スイッチを有したカード用コネクタ装置に関するものである。
【背景技術】
【０００２】
カード用コネクタ装置は、画像データなどの電子データをカードに記録可能な電気機器に搭載され、カードを収納し、カード用コネクタ装置が搭載された電子機器とカードとを電気的に接続するために用いられる。
【０００３】
昨今は、カードが挿入されているかを検出可能なカード用コネクタ装置が求められている。
【０００４】
カードが挿入されているかを検出可能なカード用コネクタ装置としては、下記の特許文献１に記載のカード用コネクタ装置が知られている。
【０００５】
以下、図１６を用いて、特許文献１に記載のカード用コネクタ装置１００について説明する。図１６は、カード用コネクタ装置１００を示す図である。
【０００６】
特許文献１に記載のカード用コネクタ装置１００は、図１８に示すように、カードＣＡを収納可能な収納部１０１ａをそなえたハウジング１０１と、ハウジング１０１内に着脱されるカードＣＡの挿入及び排出方向にスライド移動可能なスライド部材１０２と、このスライド部材１０２をカードＣＡの排出方向へ付勢する復帰ばね１０３と、復帰ばね１０３の付勢力に抗してスライド部材１０２をカードＣＡが挿着された位置に保持するロック部材１０４と、ロック部材１０４の一部と接離する固定接点部１０５と、ハウジング１０１内に配置された各構成部品の脱落を防ぐカバー１０６とを備え、ロック部材１０４は弾性変形可能な板ばねで形成すると共に、この板ばねにスライド部材１０２を係止する係止部１０４ｂと、固定接点部１０５に対して接離可能な可動接点部１０４ａを形成し、可動接点部１０４ａはスライド部材１０２とロック部材１０４との係合離脱に伴って動作され、スライド部材１０２がロック部材１０４の係止部１０４ｂに係止されることによりカードＣＡが挿着位置に保持されたことを検出する。
【０００７】
カードＣＡが挿着位置に保持されたか、否かの検出は、可動接点部１０４ａと固定接点部１０５とによって形成される検出スイッチ１０７で行なうことができる。カードＣＡの挿入にともなって、可動接点部１０４ａと固定接点部１０５との接触状態が接触−離間−接触の順に変化する。それにともない変化する可動接点部１０４ａと固定接点部１０５との電気的導通状態の変化を見ることで、カードの挿入状態または挿入量を検出することができる。
【先行技術文献】
【特許文献】
【０００８】
【特許文献１】特開２００２−２５２０６４号公報
【考案の概要】
【考案が解決しようとする課題】
【０００９】
カード用コネクタ装置が搭載される電気機器によっては、可動接点部１０４ａと固定接点部１０５との接触状態の変化の仕方の要求が異なる場合がある。
【００１０】
しかしながら、カード用コネクタ装置１００でその様な要求に対応するには、可動接点部１０４ａや固定接点部１０５などの配置や引き回しを変更する必要があり、要求の仕様に合わせて容易に切り換えることが難しい。
【００１１】
本考案は、上述した課題を解決して、接点間の導通の仕方を容易に切り替えることができる検出スイッチのついたカード用コネクタ装置を提供するものである。
【課題を解決するための手段】
【００１２】
請求項１に記載のカード用コネクタ装置は、記録媒体であるカードを内部へ挿抜可能で、前記カードの挿入状態あるいは排出状態を検出する検出スイッチを備えたカード用コネクタ装置において、前記検出スイッチは前記カードの挿抜動作に連動して動作可能な可動接点端子と、前記可動接点端子が当接可能で複数設けられた固定接点端子と、前記可動接点端子と前記固定接点端子との導通状態を外部に出力する出力端子と、前記カードが未挿入時に前記可動接点端子を所定の位置に保持する保持部材と、を有し、前記可動接点端子は前記複数の固定接点端子に接離可能であり、前記保持部材は、前記固定接点端子に対する前記可動接点端子の初期位置を決める位置決め部材として設けられている、という特徴を有する。
【００１３】
請求項２に記載のカード用コネクタ装置は、前記複数の固定接点端子は第１の固定接点端子と第２の固定設定端子とを有し、前記第１の固定接点端子と前記第２の固定設定端子とは離間して配設され、前記可動接点端子は、前記カードの挿入に伴い前記第１の固定接点端子から前記第２の固定設定端子へ向かう方向に移動し、前記保持部材は第１の保持位置に配設され、前記カードが未挿入の状態で、前記可動接点端子は前記第１の保持位置に位置し、前記第１の固定接点端子に接触した状態で保持され、前記カードの挿入に伴い、前記可動接点端子はいずれの前記固定接点端子とも接触しない位置に移動し、さらに前記第２の固定接点端子に接触した状態となる、という特徴を有する。
【００１４】
請求項３に記載のカード用コネクタ装置は、前記複数の固定接点端子は第１の固定接点端子と第２の固定接点端子とを有し、前記第１の固定接点端子と前記第２の固定接点端子とは離間して配設され、前記可動接点端子は、前記カードの挿入に伴い前記第１の固定接点端子から前記第２の固定接点端子へ向かう方向に移動し、前記保持部材は第２の保持位置に配設され、前記カードが未挿入の状態で、前記可動接点端子は前記第２の位置に位置し、いずれの前記固定接点端子とも接触しない状態で保持され、前記カードの挿入に伴い前記可動接点端子は前記第２の固定接点端子に接触した状態となる、という特徴を有する。
【００１５】
請求項４に記載のカード用コネクタ装置は、前記第１の固定接点端子と前記第２の固定接点端子とは、それぞれ同一平面から引き起こした片持ち梁状に形成されており、前記カードの挿入方向と交差する方向に並列に配列されるとともに、前記第１の固定接点端子の自由端は前記カードの挿入方向手前側に配置され、前記第２の固定接点端子の自由端は前記カードの挿入方向奥側に配置され、前記可動接点端子は、前記第１の固定接点端子と前記第２の固定接点端子とを順次経由し、前記カードの挿入に伴って前記カードの挿入方向へ押圧されることで移動可能に配置されている、という特徴を有する。
【００１６】
請求項５に記載のカード用コネクタ装置は、前記構成部品の脱落を防ぐカバーを有し、前記カバーは、前記可動接点端子を前記カードが挿入される方向に抗する方向へ付勢する付勢部を備えている、という特徴を有する。
【００１７】
請求項６に記載のカード用コネクタ装置は、前記可動接点端子は、その先端部に可動方向に平板が延在するように形成された摺接部を有する、という特徴を有する。
【００１８】
請求項７に記載のカード用コネクタ装置は、前記可動接点端子は前記カードと当接可能な絶縁体からなる当接部材を有し、前記当接部材は前記可動接点端子の先端部側を覆うように形成され、前記摺接部は前記当接部材が形成する平面から該平面と面一に露出して設けられ、前記摺接部の板厚方向に対する前記当接部材の厚さ寸法は、前記摺接部の板厚寸法よりも大きい、という特徴を有する。
【００１９】
請求項８に記載のカード用コネクタ装置は、前記摺接部は前記第１の固定接点端子および第２の固定接点端子と摺接可能で、前記第１の固定接点端子および第２の固定接点端子は前記当接部材と当接した後に前記摺接部と当接する、という特徴を有する。
【考案の効果】
【００２０】
請求項１の考案によれば、保持部材の位置を変えることで、カードが未挿入時の可動接点端子が保持される位置を変更することが可能となり、可動接点端子と固定接点端子との間の導通の仕方を容易に切り替えることができる検出スイッチのついたカード用コネクタ装置を提供することができるという効果を奏する。
【００２１】
請求項２の考案によれば、保持部材を第１の保持位置に配設することで、カードが未挿入の状態において可動接点端子と固定接点端子とは接触し導通した状態であり、その後、カードの挿入にともない可動接点端子と固定接点端子とは離間した状態となり、さらに可動接点端子と固定接点端子とは接触し導通した状態に切り替えることができるという効果を奏する。
【００２２】
請求項３の考案によれば、保持部材を第２の保持位置に配設することで、カードが未挿入の状態において可動接点端子はいずれの固定接点端子とも接触しない状態であり、その後、カードの挿入にともない可動接点端子と第２の固定接点端子と接触し導通した状態に切り替えることができるという効果を奏する。
【００２３】
請求項４の考案によれば、可動接点端子、第１の固定接点端子および第２の固定接点端子をそれぞれ片持ち梁状に形成したことで、可動接点端子はカードを排出後に元の位置へ復帰可能となり、第１の固定接点端子および第２の固定接点端子は可動接点端子と弾接することで、より安定した接触をすることができるという効果を奏する。
【００２４】
請求項５の考案によれば、カバーに付勢部を設け、付勢部により可動接点端子をカードが挿入される方向に抗する方向へ付勢することで、カード用コネクタ装置からカードを排出後に、可動接点端子をカードが未挿入時の位置により確実に復帰させることができるという効果を奏する。
【００２５】
請求項６の考案によれば、可動接点端子の先端部に、可動方向に平板が突出するように摺接部を設けたことで、第１の固定接点端子および第２の固定接点端子と摺接する長さを長くすることができ、接触をより安定させることができるという効果を奏する。
【００２６】
請求項７の考案によれば、当接部材の厚さを可動接点端子の厚さよりも厚くすることで、挿入されたカードにより確実に当接させることができ、検出スイッチを確実に操作することができるという効果を奏する。
【００２７】
請求項８の考案によれば、第１の固定接点端子および第２の固定接点端子を当接部材に当接した後に可動接点端子に当接する構造としたことで、第１の固定接点端子および第２の固定接点端子は当接部材に当接することで撓められる。その後、撓められた方向に抗する方向の弾性力を保持した状態で可動接点端子に当接するため、当接当初から安定した接続を行なえる接圧が得られ、可動接点端子と固定接点端子との導通状態の切換をより安定して行うことが可能となるという効果を奏する。
【図面の簡単な説明】
【００２８】
【図１】カード用コネクタ装置１を示す図である。
【図２】カード用コネクタ装置１の構成を示す分解斜視図である。
【図３】カード用コネクタ装置１の内部構造を示す図である。
【図４】カード用コネクタ装置１のハウジング１１を示す図である。
【図５】図４のＢ部（検出スイッチ１５）を示す図である。
【図６】図３に記載の断面Ａ−Ａを示す図である。
【図７】カード用コネクタ装置１のスライド部材１２を示す図である。
【図８】カード用コネクタ装置１のカバー１６を示す図である。
【図９】可動接点端子１５ａと付勢部１６ａの位置関係を示す図である。
【図１０】カード５が挿入された際の構成部品の動作を示す図である。
【図１１】カード５がカード用コネクタ装置１に挿入される前の検出スイッチ１５の状態を示す図である。
【図１２】カード５がカード用コネクタ装置１に挿入されている途中の検出スイッチ１５の状態を示す図である。
【図１３】カード５がカード用コネクタ装置１内に保持された時の検出スイッチ１５の状態を示す図である。
【図１４】カード用コネクタ装置２のハウジング２１を示す平面図である。
【図１５】図１４におけるＣ部（検出スイッチ２５）を示す図である。
【図１６】カード用コネクタ装置１００を示す図である。
【考案を実施するための形態】
【００２９】
［第１実施形態］
以下に第１実施形態におけるカード用コネクタ装置１について説明する。
【００３０】
まず始めに本実施形態におけるカード用コネクタ装置１の構成について図１ないし図３を用いて説明する。図１はカード用コネクタ装置１を示す図である。図２はカード用コネクタ装置１の構成を示す分解斜視図である。図３はカード用コネクタ装置１の内部構造を示す図であり、図３（ａ）はカード用コネクタ装置１を上側から見た図であり、図３（ｂ）はカード用コネクタ装置１を前側から見た図である。なお、説明を容易にするため、図３（ａ）ではカバー１６を図示していない。
【００３１】
カード用コネクタ装置１は、記録媒体であるカード５を内部へ挿抜可能で、カード５の挿入状態あるいは排出状態を検出する検出スイッチ１５を備えたカード用コネクタ装置であり、図１ないし図３に示すように、カード５を内部へ挿抜可能なハウジング１１と、ハウジング１１内に着脱されるカード５の挿入及び排出方向にスライド移動可能なスライド部材１２と、スライド部材１２をカード５の排出方向へ付勢する復帰ばね１３と、復帰ばね１３の付勢力に抗してスライド部材１２をカード５が挿着された位置に保持するロック部材１４と、カード５の挿入状態あるいは排出状態を検出する検出スイッチ１５と、ハウジング１１内に配置された各構成部品の脱落を防ぐカバー１６と、を備えている。
【００３２】
次に構成部品について図２と図４ないし図８を用いて説明する。図４はハウジング１１を示す図である。図５は、図４のＢ部（検出スイッチ１５）を示す図であり、図５（ａ）は可動接点端子１５ａに当接部材１５ｄが一体に形成されている状態を示す図であり、図５（ｂ）は可動接点端子１５ａから当接部材１５ｄを取り外した状態を示す図である。
【００３３】
図６は、図３に記載の断面Ａ−Ａを示す図であり、図６（ａ）は第１の固定接点端子１５ｂおよび第２の固定接点端子１５ｃが摺接部１５ｅに接触していない状態を示す図であり、図６（ａ）は第１の固定接点端子１５ｂおよび第２の固定接点端子１５ｃが摺接部１５ｅと導通している状態を示す図である。
【００３４】
図７はスライド部材１２を示す図である。図８はカバー１６を示す図であり、図８（ａ）は上側から見たカバー１６を示す図であり、図８（ｂ）は下方向から見たカバー１６を示す図である。
【００３５】
ロック部材１４は、図２に示すように、断面が円形の金属棒の両端を同一方向へ曲げた形状に形成されている。
【００３６】
復帰バネ１３は、図２に示すように、弾性を有した金属線材からなるコイルバネである。
【００３７】
ハウジング１１は、図４に示すように、合成樹脂材からなり、前側と上側の面が開放された中空の箱状に形成されている。前側の開放された面はカード５を挿入可能な挿入口１１ａを形成し、挿入口１１ａから後方向へ向かっては挿入されたカード５を収納可能なカード収納部１１ｂが形成されている。
【００３８】
カード収納部１１ｂの右側にはスライド部材１２の一部および復帰バネ１３を収納可能なスライド収納部１１ｃが形成され、スライド部材１２の一部が上部を摺接する摺動壁１１ｄによってカード収納部１１ｂと隔離されている。
【００３９】
また、スライド収納部１１ｃの前側端には直方体状に突出た第１のストッパ１１ｅが形成され、第１のストッパ１１ｅにはロック部材１４の一部を挿入可能な基準穴１１ｆが形成されている。
【００４０】
カード収納部１１ｂの左後側には左側側壁１１ｇから連続し右方向へ突出して第２のストッパ１１ｈが形成されている。第２のストッパ１１ｈは、カード５の挿入方向前側の切り欠き形状（図１参照）にあわせて、上側から見たときの断面が直角三角形の三角柱状に形成されており、断面の斜辺によって形成される面は挿入口１１ａの方向を向いて配置されている。
【００４１】
また、ハウジング１１には、板金加工した金属板がインサート成形され、その一端側はカード５と接触し導通する複数の接続端子１１ｉ、およびカード５の挿入状態あるいは排出状態を検出する検出スイッチ１５を形成している。
【００４２】
接続端子１１ｉおよび検出スイッチ１５を形成する金属板の他端側の先端は、同一形状に形成され、ハウジング１１の後側から外方へ突出して等間隔に配され、外部と電気的接続する出力端子１１ｊが形成されている。
【００４３】
なお、接続端子１１ｉ、出力端子１１ｊおよび検出スイッチ１５を形成する金属板は同一の金属板を打ち抜き加工および板金加工して形成される。
【００４４】
接続端子１１ｉは、カード収納部１１ｂの下面に前側を固定端、後側を自由端とした片持ち梁状に形成され、上方向へ突出してカード５と導通可能な位置に配置されている。
【００４５】
検出スイッチ１５は、図４、図５（ａ）および図５（ｂ）に示すように、カード収納部１１ｂの最も後側に配置されており、カード５の挿抜動作に連動して動作可能な可動接点端子１５ａと、可動接点端子１５ａが当接可能で複数設けられた固定接点端子１５ｈと、可動接点端子１５ａと固定接点端子１５ｈとの導通状態を外部に出力する前述した出力端子１１ｊと、カード５が未挿入時に可動接点端子１５ａを所定の位置に保持する保持部材１５ｉとを有している。
【００４６】
また、可動接点端子１５ａはカード５と当接可能な絶縁体からなる当接部材１５ｄを有している。当接部材１５ｄは、可動接点端子１５ａの先端部側を覆うように形成され、当接部材１５ｄの、可動接点端子１５ａの固定端側に対応する側には、カード収納部１１ｂに挿入されたカード５と当接するカード当接部１５ｆを有し、カード収納部１１ｂの後側から挿入口１１ａ方向へ突出した形状に形成されている。
【００４７】
また、当接部材１５ｄの上面には、凸形状に形成された平行な２本のリブ部１５ｇが形成されている。
【００４８】
可動接点端子１５ａは片持ち梁状をしており、カード収納部１１ｂの最も後側から挿入口１１ａの方向へ突出して形成されている。可動接点端子１５ａの固定端はカード収納部１１ｂの右後側に配置され、自由端側は左後側に配置されており、自由端は固定端を中心に弾性変形可能に形成されている。
【００４９】
また、図５（ｂ）に示すように、可動接点端子１５ａの自由端側はカード収納部１１ｂの下面に対して平行な平板状に形成されており、その先端部に可動方向に平板が延在するように形成された摺接部１５ｅを有する。
【００５０】
摺接部１５ｅは、図６（ａ）および図６（ｂ）に示すように、可動接点端子１５ａの移動方向の両方向側に当接部材１５ｄが配されるように、当接部材１５ｄの下面から露出し、当接部材１５ｄの下面と面一に設けられ、当接部材１５ｄの厚さは可動接点端子１５ａの厚さよりも厚く形成されている。なお、当接部材１５ｄの下面は固定接点端子１５ｈを臨む面である。
【００５１】
複数の固定接点端子１５ｈは可動接点端子１５ａにそれぞれ当接可能な第１の固定接点端子１５ｂおよび第２の固定接点端子１５ｃとを有する。第１の固定接点端子１５ｂと第２の固定接点端子１５ｃとは、図５（ａ）および図５（ｂ）に示すように、それぞれカード収納部１１ｂの下面から上方向に引き起こした片持ち梁状に形成され、ハウジング１１の左側側壁１１ｇに沿って第２のストッパ１１ｈの後側に離間して配置されている。
【００５２】
また、第１の固定接点端子１５ｂと第２の固定接点端子１５ｃとは、カード５の挿入方向と交差する方向に並列に配列されるとともに、第２の固定接点端子１５ｃは第１の固定接点端子１５ｂよりもハウジング１１の左側側壁１１ｇから離れた位置に配置されるとともに、第１の固定接点端子１５ｂの自由端はカード５の挿入方向手前側に配置され、第２の固定接点端子１５ｃの自由端はカード５の挿入方向奥側に配置されている。
【００５３】
可動接点端子１５ａは、第１の固定接点端子１５ｂと第２の固定接点端子１５ｃとの両方を横断する様に配置されている。可動接点端子１５ａの摺接部１５ｅは、第１の固定接点端子１５ｂおよび第２の固定接点端子１５ｃのそれぞれの自由端と接触可能な位置に、第１の固定接点端子１５ｂの自由端と第２の固定接点端子１５ｃの自由端との間を移動可能に配置されている。
【００５４】
なお、本実施形態においては、カード５が未挿入時に可動接点端子１５ａを所定の位置に保持する保持部材１５ｉの機能は第２のストッパ１１ｈによって行使される。第２のストッパ１１ｈのカード挿入方向側（カード収納部１１ｂの後側）の面である保持面１１ｋに可動接点端子１５ａ（当接部材１５ｄ）を当接させて可動接点端子１５ａを保持する。
【００５５】
また、可動接点端子１５ａの弾性力に抗する外力を受けていない場合、可動接点端子１５ａは可動接点端子１５ａの弾性力により当接部材１５ｄが保持面１１ｋに当接した状態で保持されている。この時、保持部材１５ｉの保持面１１ｋは第１の保持位置Ｐ１に配設され、可動接点端子１５ａの摺接部１５ｅは第１の固定接点端子１５ｂに当接しており、可動接点端子１５ａの自由端を可動接点端子１５ａの弾性力に抗する方向へ移動させることで、可動接点端子１５ａは、第１の固定接点端子１５ｂと第２の固定接点端子１５ｃとを順次経由し、それぞれに当接可能に配置されている。
【００５６】
また、第１の固定接点端子１５ｂおよび第２の固定接点端子１５ｃが可動接点端子１５ａと導通していないとき、図６（ａ）に示すように、第１の固定接点端子１５ｂおよび第２の固定接点端子１５ｃのそれぞれの自由端の先端部は可動接点端子１５ａの摺接部１５ｅが配された位置よりも上方に配されている。
【００５７】
第１の固定接点端子１５ｂと可動接点端子１５ａとが導通した場合には、図６（ｂ）に示すように、第１の固定接点端子１５ｂの自由端の先端部は、撓みながら摺接部１５ｅに摺接する。なお、第２の固定接点端子１５ｃと可動接点端子１５ａとが導通した場合も、同様である。
【００５８】
スライド部材１２は、図７に示すように、合成樹脂材料からなりＬ字形に形成されている。直方体形状に形成された基部１２ａの上面の前端から中心部付近には、ロック部材１４の一端と摺接するカム部１２ｂが形成されている。
【００５９】
カム部１２ｂは、スライド部材１２の動きにあわせてロック部材１４の一端が相対的にカム部１２ｂに沿って循環可能なハートカムである。
【００６０】
基部１２ａの後端にはカード５に当接可能な腕部１２ｃが左方向に突出して形成されている。
【００６１】
基部１２ａは後側の左右方向の幅寸法が前側の左右方向の幅寸法よりも小さく形成され、後右側には復帰バネ１３を配置可能なバネ収納部１２ｄが形成されている。
【００６２】
カバー１６は、図８（ａ）および図８（ｂ）に示すように、金属板を曲げ加工し、下方を開放した中空の直方体状に形成されている。側壁は前側を除く三方向のみ形成され、前側の側壁は無く開放されている。
【００６３】
後側の側壁には、カバー１６の内側に片持ち梁状に突出して付勢部１６ａが形成されている。付勢部１６ａは後側の側壁の右側に固定端を有し、カード用コネクタ装置１として組み立てた際に可動接点端子１５ａをカード５が挿入される方向に抗する方向へ付勢可能な位置まで突出している。
【００６４】
また、上側の面の右前位置にはヘラ状に形成されるとともに、カバー１６の内側に片持ち梁状に突出した押圧部１６ｂが形成されている。
【００６５】
次に、カード用コネクタ装置１の構造について、図３および図９を用いて説明する。図９は可動接点端子１５ａと付勢部１６ａの位置関係を示す図である。なお、説明を容易にするため、図９ではカバー１６は付勢部１６ａのみ記している。
【００６６】
スライド部材１２は、図３（ａ）および図３（ｂ）に示すように、ハウジング１１のスライド収納部１１ｃ内に、スライド収納部１１ｃに沿って移動可能に配置される。この時、カム部１２ｂは上方向に臨み、腕部１２ｃが摺動壁１１ｄを越えてカード収納部１１ｂに突出するように配置される。
【００６７】
復帰バネ１３は一方端がスライド部材１２のバネ収納部１２ｄに収納されるとともに、他方端はハウジング１１のスライド収納部１１ｃ内に配置されている。このとき、復帰バネ１３は、ハウジング１１とスライド部材１２との間に撓んだ状態で配置されており、復帰ばね１３の付勢力により、スライド部材１２は前方向に付勢され、第１のストッパ１１ｅに圧接させられている。
【００６８】
ロック部材１４は、一端をスライド部材１２のカム部１２ｂ上に配置され、他端はハウジング１１の基準穴１１ｆに挿入される。これにより、ロック部材１４の一端は、他端を中心にスライド部材１２の動きにあわせてカム部１２ｂに沿って揺動可能な状態で配置される。
【００６９】
スライド部材１２、復帰バネ１３およびロック部材１４が配置されたハウジング１１の上方に、ハウジング１１を覆うようにカバー１６が係止される。このとき、カバー１６は側壁のない側をハウジング１１の挿入口１１ａの位置に対応させて配置される。
【００７０】
これにより、カバー１６の押圧部１６ｂ（図８参照）はロック部材１４を上方から付勢し、ロック部材１４が揺動した場合でも基準穴１１ｆおよびカム部１２ｂから外れて脱落するのを防止する。
【００７１】
また、付勢部１６ａは、図９に示すように、可動接点端子１５ａに当接し、可動接点端子１５ａを前方向へ付勢する。
【００７２】
この様にしてカード用コネクタ装置１は形成される。
【００７３】
次に、カード用コネクタ装置１の内部にカード５が挿入された場合の動作について、図７、図８および図１０を用いて説明する。図１０はカード５が挿入された際の構成部品の動作を示す図であり、図１０（ａ）はカード５が腕部１２ｃに当接したときを示す図であり、図１０（ｂ）はカード５を後方向へ押し込んでいる過程を示す図であり、図１０（ｃ）はカード５を後側の末端まで挿入した状態を示す図である。なお、図１０においては、説明を容易にするために、カバー１６は図示していない。
【００７４】
カード５をカード用コネクタ装置１に挿入すると、図１０（ａ）に示すように、カード５の挿入方向の先端がスライド部材１２の腕部１２ｃに当接する。カード５が腕部１２ｃに当接後、さらにカード５を後方向に押し込むと、図１０（ｂ）に示すように、カード５とスライド部材１２とは復帰バネ１３の付勢力に抗して後方向に移動し、カード５の挿入方向の先端は、可動接点端子１５ａに一体に形成された当接部材１５ｄのカード当接部１５ｆに当接する。
【００７５】
このとき、ロック部材１４の一端はスライド部材１２の動きにあわせて、カム部１２ｂに沿って揺動する。
【００７６】
さらにカード５を後方向へ押し込むと、図１０（ｃ）に示すように、カード５は可動接点端子１５ａと可動接点端子１５ａに当接して配置されているカバー１６（図８参照）の付勢部１６ａ（図８参照）を後方向に撓ませながら、カード５とスライド部材１２とは復帰バネ１３の付勢力、可動接点端子１５ａの付勢力および付勢部１６ａの付勢力に抗して後方向に移動する。
【００７７】
このときも、ロック部材１４の一端はスライド部材１２の動きにあわせて、カム部１２ｂに沿って揺動する。
【００７８】
さらにカード５を後方向へ押し込むと、カード５は第２のストッパ１１ｈに当接し、それ以上後方向へ挿入できなくなる。
【００７９】
カード５が第２のストッパ１１ｈに当接後、カード５を後方向へ挿入する押圧を解除すると、カード５およびスライド部材１２とは、復帰バネ１３の付勢力、可動接点端子１５ａの付勢力および付勢部１６ａの付勢力により前方向に押し戻され、図１０（ａ）に示す状態に戻ろうとする。
【００８０】
このときも、ロック部材１４の一端はスライド部材１２の動きにあわせて、カム部１２ｂに沿って揺動する。しかし、復帰途中、図７に示すカム部１２ｂの位置Ｃにおいては、復帰バネ１３の付勢力、可動接点端子１５ａの付勢力および付勢部１６ａの付勢力では、ロック部材１４の一端はカム部１２ｂに沿って揺動することができなくなり、カード５はスライド部材１２とともに保持される。
【００８１】
このとき、カード５とカード用コネクタ装置１とは電気的に導通し、カード５との電子データの書き込み・読み込みが可能な状態となる。
【００８２】
カード５を、再度、後方向へ押し込むと、ロック部材１４の一端はカム部１２ｂに沿って揺動することが可能となり、後方向への押圧を解除すると、カード５およびスライド部材１２は、復帰バネ１３の付勢力、可動接点端子１５ａの付勢力および付勢部１６ａの付勢力により前方向に押し戻されカード５は排出されるとともに、当接部材１５ｄは保持面１１ｋに当接し、可動接点端子１５ａは第１の保持位置Ｐ１に保持される。
【００８３】
次に、検出スイッチ１５の動作について、図６、図１１、図１２および図１３を用いて説明する。図１１はカード５がカード用コネクタ装置１に挿入される前の検出スイッチ１５の状態を示す図であり、図１１（ａ）は検出スイッチ１５を側面から見た状態を示す図であり、図１１（ｂ）は検出スイッチ１５を斜め上から見た状態を示す図である。図１２はカード５がカード用コネクタ装置１に挿入されている途中の検出スイッチ１５の状態を示す図であり、図１２（ａ）は検出スイッチ１５を側面から見た状態を示す図であり、図１２（ｂ）は検出スイッチ１５を斜め上から見た状態を示す図である。図１３はカード５がカード用コネクタ装置１内に保持された時の検出スイッチ１５の状態を示す図であり、図１３（ａ）は検出スイッチ１５を側面から見た状態を示す図であり、図１３（ｂ）は検出スイッチ１５を斜め上から見た状態を示す図である。なお、図１１、図１２および図１３においては、説明の都合上、ハウジング１１の合成樹脂材で形成された部分は図示していない。
【００８４】
カード５が未挿入の状態では、図１１（ａ）および図１１（ｂ）に示すように、可動接点端子１５ａは第１の保持位置Ｐ１に配設された保持部材１５ｉにより第１の保持位置Ｐ１に位置し、可動接点端子１５ａは第１の固定接点端子１５ｂの自由端に接触して導通するとともに、第２の固定接点端子１５ｃの自由端とは離間した状態で保持されている。
【００８５】
次に、カード５を挿入すると、可動接点端子１５ａは、カード５の挿入に伴い、第１の固定接点端子から前記第２の固定設定端子へ向かう方向に移動を開始する。可動接点端子１５ａは、第１の固定接点端子１５ｂおよび第２の固定接点端子１５ｃとも接触しない位置である第１の位置ｐ１まで移動し、図１２（ａ）および図１２（ｂ）に示すように、可動接点端子１５ａは第２の固定接点端子１５ｃの自由端方向へ移動し第１の固定接点端子１５ｂの自由端と離間するとともに、第２の固定接点端子１５ｃの自由端とも離間した状態となる。
【００８６】
さらにカード５を後方向へ挿入し、離間していた可動接点端子１５ａと第２の固定接点端子１５ｃとが導通しはじめる位置である第２の位置ｐ２まで達すると、図１３（ａ）およびに図１３（ｂ）示すように可動接点端子１５ａは第１の固定接点端子１５ｂの自由端と離間するとともに、第２の固定接点端子１５ｃの自由端に接触して導通した状態となる。
【００８７】
さらにカード５を後側の末端まで挿入し、カード５への押圧を解除後、ロック部材１４の一端が揺動できなくなり、カード５がスライド部材１２とともにカード用コネクタ装置１内に保持されるまでの間も、検出スイッチ１５は可動接点端子１５ａと第２の固定接点端子１５ｃとが導通し、第１の固定接点端子１５ｂとは離間した状態を保持する。
【００８８】
また、カード５の保持が解除されると、検出スイッチ１５は、図１１に示す、カード５が未挿入のときの状態に戻り、可動接点端子１５ａと第１の固定接点端子１５ｂとが接触して導通し、第２の固定接点端子１５ｃとは離間した状態となる。
【００８９】
このように、カード５の挿入または排出状態に合わせて、可動接点端子１５ａと、第１の固定接点端子１５ｂおよび第２の固定接点端子１５ｃとの導通状態を変えることで、検出スイッチ１５でカード５の挿入および排出状態を検出する。
【００９０】
なお、第１の固定接点端子１５ｂおよび第２の固定接点端子１５ｃは、当接部材１５ｄに当接する前は、図６（ａ）に示すような位置関係にあり、当接部材１５ｄに当接することで図６（ｂ）に示すように下方向に撓み、当接部材１５ｄに摺接し、その後に可動接点端子１５ａの摺接部１５ｅに当接する。
【００９１】
また、図６（ｂ）においては、説明の都合上、第１の固定接点端子１５ｂと当接部材１５ｄとが当接している状態を示しているが、第２の固定接点端子１５ｃと当接部材１５ｄとが当接した場合にも同様の事がいえる。
【００９２】
以下、本実施形態としたことによる効果について説明する。
【００９３】
本実施形態のカード用コネクタ装置１では、記録媒体であるカード５を内部へ挿抜可能で、カード５の挿入状態あるいは排出状態を検出する検出スイッチ１５を備えたカード用コネクタ装置において、検出スイッチ１５はカード５の挿抜動作に連動して動作可能な可動接点端子１５ａと、可動接点端子１５ａが当接可能で複数設けられた固定接点端子１５ｈと、可動接点端子１５ａと固定接点端子１５ｈとの導通状態を外部に出力する出力端子１１ｊと、カード５が未挿入時に可動接点端子１５ａを所定の位置に保持する保持部材１５ｉと、を有し、可動接点端子１５ａは複数の固定接点端子１５ｈに接離可能であり、保持部材１５ｉは、固定接点端子１５ｈに対する可動接点端子１５ａの初期位置を決める位置決め部材として設けられている構成とした。
【００９４】
これにより、保持部材１５ｉの位置を変えることで、カード５が未挿入時の可動接点端子１５ａが保持される位置を変更することが可能となり、可動接点端子１５ａと固定接点端子１５ｈとの間の導通の仕方を容易に切り替えることができる検出スイッチのついたカード用コネクタ装置を提供することができるという効果を奏する。
【００９５】
本実施形態のカード用コネクタ装置１では、複数の固定接点端子１５ｈは第１の固定接点端子１５ｂと第２の固定設定端子１５ｃとを有し、第１の固定接点端子１５ｂと第２の固定設定端子１５ｃとは離間して配設され、可動接点端子１５ａは、カード５の挿入に伴い第１の固定接点端子１５ｂから第２の固定設定端子１５ｃへ向かう方向に移動し、保持部材１５ｉは第１の保持位置Ｐ１に配設され、カード５が未挿入の状態で、可動接点端子１５ａは第１の保持位置Ｐ１に位置し、第１の固定接点端子１５ｂに接触した状態で保持され、カード５の挿入に伴い、可動接点端子１５ａはいずれの固定接点端子１５ｈとも接触しない位置に移動し、さらに第２の固定接点端子１５ｃに接触した状態となる構成とした。
【００９６】
これにより、保持部材１５ｉを第１の保持位置Ｐ１に配設することで、カード５が未挿入の状態において可動接点端子１５ａと固定接点端子１５ｈとは接触し導通した状態であり、その後、カード５の挿入にともない可動接点端子１５ａと固定接点端子１５ｈとは離間した状態となり、さらに可動接点端子１５ａと固定接点端子１５ｈとは接触し導通した状態に切り替えることができるという効果を奏する。
【００９７】
本実施形態のカード用コネクタ装置１では、第１の固定接点端子１５ｂと第２の固定接点端子１５ｃとは、それぞれ同一平面から引き起こした片持ち梁状に形成されており、カード５の挿入方向と交差する方向に並列に配列されるとともに、第１の固定接点端子１５ｂの自由端はカード５の挿入方向手前側に配置され、第２の固定接点端子１５ｃの自由端はカード５の挿入方向奥側に配置され、可動接点端子１５ａは、第１の固定接点端子１５ｂと第２の固定接点端子１５ｃとを順次経由し、カード５の挿入に伴ってカード５の挿入方向へ押圧されることで移動可能に配置されている構成とした。
【００９８】
これにより、可動接点端子１５ａ、第１の固定接点端子１５ｂおよび第２の固定接点端子１５ｃをそれぞれ片持ち梁状に形成したことで、可動接点端子１５ａはカード５を排出後に元の位置へ復帰可能となり、第１の固定接点端子１５ｂおよび第２の固定接点端子１５ｃは可動接点端子１５ａと弾接することで、より安定した接触をすることができるという効果を奏する。
【００９９】
本実施形態のカード用コネクタ装置１では、構成部品の脱落を防ぐカバー１６を有し、カバー１６は、可動接点端子１５ａをカード５が挿入される方向に抗する方向へ付勢する付勢部１６ａを備えている構成とした。
【０１００】
これにより、カバー１６に付勢部１６ａを設け、付勢部１６ａにより可動接点端子１５ａをカード５が挿入される方向に抗する方向へ付勢することで、カード用コネクタ装置１からカード５を排出後に、可動接点端子１５ａをカード５が未挿入時の位置へより確実に復帰させることができるという効果を奏する。
【０１０１】
本実施形態のカード用コネクタ装置１では、可動接点端子１５ａは、その先端部に可動方向に平板が延在するように形成された摺接部１５ｅを有する構成とした。
【０１０２】
これにより、可動接点端子１５ａの先端部に、可動方向に平板が突出するように摺接部１５ｅを設けたことで、第１の固定接点端子１５ｂおよび第２の固定接点端子１５ｃと可動接点端子１５ａとの摺接する長さを長くすることができ、接触をより安定させることができるという効果を奏する。
【０１０３】
また、本実施形態のカード用コネクタ装置１では、当接部材１５ｄの厚さは可動接点端子１５ａの厚さよりも厚い構成とした。
【０１０４】
これにより、当接部材１５ｄの厚さを可動接点端子１５ａの厚さよりも厚くすることで、挿入されたカード５とより確実に当接することができ、検出スイッチ１５を確実に操作することができる、という効果を奏する。
【０１０５】
本実施形態のカード用コネクタ装置１では、可動接点端子１５ａはカード５と当接可能な絶縁体からなる当接部材１５ｄを有し、当接部材１５ｄは可動接点端子１５ａの先端部側を覆うように形成され、摺接部１５ｅは当接部材１５ｄの下面から下面と面一に露出して設けられ、摺接部１５ｅの板厚方向に対する当接部材１５ｄの厚さ寸法は、摺接部１５ｅの板厚寸法よりも大きい構成とした。
【０１０６】
これにより、当接部材１５ｄの厚さを可動接点端子１５ａの厚さよりも厚くすることで、挿入されたカード５により確実に当接させることができ、検出スイッチ１５を確実に操作することができるという効果を奏する。
【０１０７】
本実施形態のカード用コネクタ装置１では、摺接部１５ｅは第１の固定接点端子１５ｂおよび第２の固定接点端子１５ｃと摺接可能で、第１の固定接点端子１５ｂおよび第２の固定接点端子１５ｃは当接部材１５ｄと当接した後に摺接部１５ｅと当接する構成とした。
【０１０８】
これにより、第１の固定接点端子１５ｂおよび第２の固定接点端子１５ｃを当接部材１５ｄに当接した後に可動接点端子１５ａに当接する構造としたことで、第１の固定接点端子１５ｂおよび第２の固定接点端子１５ｃは当接部材１５ｄに当接することで撓められる。その後、撓められた方向に抗する方向の弾性力を保持した状態で可動接点端子１５ａに当接するため、当接当初から安定した接続を行なえる接圧が得られ、可動接点端子１５ａと固定接点端子１５ｈとの導通状態の切換をより安定して行うことが可能となるという効果を奏する。
【０１０９】
また、本実施形態のカード用コネクタ装置１では、第２のストッパ１１ｈは、カード５の挿入方向前側の切り欠き形状にあわせて、上側から見たときの断面が直角三角形の三角柱状に形成した。
【０１１０】
これにより、カード５の表裏を間違えてカード用コネクタ装置１内にカード５を挿入した場合に、カード５が第２のストッパ１１ｈよりも後側に挿入されるのを防ぎ、接続端子１１ｉや検出スイッチ１５などが変形、破壊されるのを防止する、というカード誤挿入防止の効果を奏する。
【０１１１】
また、本実施形態のカード用コネクタ装置１では、当接部材１５ｄの上面に凸形状に形成された平行な２本のリブ部１５ｇ構造とした。
【０１１２】
これにより、当接部材１５ｄが可動接点端子１５ａに連動して動作するときに、リブ部１５ｇがカバー１６と摺接することになり、当接部材１５ｄの上面全体で摺接した場合に比べて摩擦抵抗が小さく滑らかに動作することで、検出スイッチ１５がより確実に機能する、という効果を奏する。
【０１１３】
［第２実施形態］
以下に第２実施形態におけるカード用コネクタ装置２について説明する。カード用コネクタ装置２は、第１実施形態におけるカード用コネクタ装置１の検出スイッチ１５の構造が変わったものであり、それ以外は同一構造である。したがって、カード用コネクタ装置１から変更のない部分については、カード用コネクタ装置１の説明で用いた名称および附番を用いて説明するとともに、詳細の説明は割愛する。
【０１１４】
まず始めに本実施形態におけるカード用コネクタ装置２の構成について図１、図２、図１４および図１５を用いて説明する。図１４はカード用コネクタ装置２のハウジング２１を示す平面図である。図１５は図１４におけるＣ部（検出スイッチ１５）を示す図であり、図１５（ａ）は図１４におけるＣ部を拡大した図であり、図１５（ｂ）は図１４におけるＣ部を左側から見た状態を示す図である。
【０１１５】
カード用コネクタ装置２は、カード５を挿抜可能で、カード５の挿入状態あるいは排出状態を検出する検出スイッチ１５を備えたカード用コネクタ装置であり、ハウジング２１と、スライド部材１２と、復帰ばね１３と、ロック部材１４と、検出スイッチ１５と、カバー１６とを備えており、図１および図２に示すカード用コネクタ装置１と同様の構成である。
【０１１６】
ただし、図１４および図１５（ａ）に示すように、ハウジング２１の第２のストッパ２１ｈの形状が、ハウジング１１の第２のストッパ１１ｈの形状とは異なる。保持部材２５ｉの機能を兼ねる第２のストッパ２１ｈの形状は、保持面２１ｋの位置が、第１実施形態の保持面１１ｋの位置に比べてハウジング２１の後側の位置である第２の保持位置Ｐ２に配設されている。なお、カード５に当接する第２のストッパ２１ｈの面の位置や形状は第１実施形態の第２のストッパ１１ｈと同形状である。
【０１１７】
保持面２１ｋが第２の保持位置Ｐ２に配設されることで、カード５が未挿入の状態で、可動接点端子１５ａは、図１５（ｂ）に示すように、いずれの固定接点端子１５ｈとも接触しない状態となる第１の位置ｐ１に保持される。また、カード５の挿入に伴い可動接点端子１５ａはカード５の挿入方向へ移動し、第２の固定接点端子１５ｃに接触した状態となる第２の位置ｐ２に保持され、カード５が排出されると可動接点端子１５ａは第２の固定接点端子１５ｃと離間し、第１の位置ｐ１に復帰する。
【０１１８】
このように、検出スイッチ１５の可動接点端子１５ａと第２の固定接点端子１５ｃとの導通状態を見ることで、カード５の挿入の有無を検出することが可能となる。
【０１１９】
以下、本実施形態としたことによる効果について説明する。
【０１２０】
本実施形態のカード用コネクタ装置２では、複数の固定接点端子１５ｈは第１の固定接点端子１５ｂと第２の固定接点端子１５ｃとを有し、第１の固定接点端子１５ｂと第２の固定接点端子１５ｃとは離間して配設され、可動接点端子１５ａは、カード５の挿入に伴い第１の固定接点端子１５ｂから第２の固定接点端子１５ｃへ向かう方向に移動し、保持部材２５ｉは第２の保持位置Ｐ２に配設され、カード５が未挿入の状態で、可動接点端子１５ａは第２の位置ｐ２に位置し、いずれの固定接点端子１５ｈとも接触しない状態で保持され、カード５の挿入に伴い可動接点端子１５ａは第２の固定接点端子１５ｃに接触した状態となる構成とした。
【０１２１】
これにより、保持部材１５ｉを第２の保持位置Ｐ２に配設することで、カード５が未挿入の状態において可動接点端子１５ａはいずれの固定接点端子１５ｈとも接触しない状態であり、その後、カード５の挿入にともない可動接点端子１５ａと第２の固定接点端子１５ｃと接触し導通した状態に切り替えることができるという効果を奏する。
【０１２２】
また、保持部材の形状が異なるハウジングを使い分けることで、検出スイッチの可動接点端子と固定接点端子との導通状態の切り替えパターンの異なるカード用コネクタ装置に容易に対応することができる。
【０１２３】
以上のように、本考案の実施形態に係るカード用コネクタ装置を具体的に説明したが、本考案は上記の実施形態に限定されるものではなく、要旨を逸脱しない範囲で種々変更して実施することが可能である。例えば次のように変形して実施することができ、これらの実施形態も本考案の技術的範囲に属する。
【０１２４】
（１）本実施形態において、固定接点端子１５ｈの形状を片持ち梁形状としたが、例えば、固定接点端子１５ｈをハウジング２１の内部底面から面一に露出した平板形状とし、可動接点端子１５ａを固定接点端子１５ｈ方向に突出した片持ち梁形状とするなど、形状を変えてもよい。
【０１２５】
（２）第２実施形態において、第２のストッパ１１ｈの形状を変更することで、保持部材１５ｉの配設位置を第１実施形態の第１の保持位置Ｐ１から第２の保持位置Ｐ２に変更したが、例えば、第２のストッパ１１ｈの形状は変えず、保持面１１ｋと当接する当接部材１５ｄの当接する箇所の形状を変更することでカード５が未挿入時に置けるに可動接点端子１５ａの配設位置を変えても良い。
【符号の説明】
【０１２６】
１      カード用コネクタ装置
１１    ハウジング
１１ａ  挿入口
１１ｂ  カード収納部
１１ｃ  スライド収納部
１１ｄ  摺動壁
１１ｅ  第１のストッパ
１１ｆ  基準穴
１１ｇ  左側側壁
１１ｈ  第２のストッパ
１１ｉ  接続端子
１１ｊ  出力端子
１１ｋ  保持面
１２    スライド部材
１２ａ  基部
１２ｂ  カム部
１２ｃ  腕部
１２ｄ  バネ収納部
１３    復帰バネ
１４    ロック部材
１５    検出スイッチ
１５ａ  可動接点端子
１５ｂ  第１の固定接点端子
１５ｃ  第２の固定接点端子
１５ｄ  当接部材
１５ｅ  摺接部
１５ｆ  カード当接部
１５ｇ  リブ部
１５ｈ  固定接点端子
１５ｉ  保持部材
１６    カバー
１６ａ  付勢部
１６ｂ  押圧部
２      カード用コネクタ装置
２１    ハウジング
２１ｈ  第２のストッパ
２１ｋ  保持面
２５ｉ  保持部材
Ｐ１    第１の保持位置
Ｐ２    第２の保持位置
ｐ１    第１の位置
ｐ２    第２の位置
【図１】
0003175424.tif 000003
【図２】
0003175424.tif 000004
【図３】
0003175424.tif 000005
【図４】
0003175424.tif 000006
【図５】
0003175424.tif 000007
【図６】
0003175424.tif 000008
【図７】
0003175424.tif 000009
【図８】
0003175424.tif 000010
【図９】
0003175424.tif 000011
【図１０】
0003175424.tif 000012
【図１１】
0003175424.tif 000013
【図１２】
0003175424.tif 000014
【図１３】
0003175424.tif 000015
【図１４】
0003175424.tif 000016
【図１５】
0003175424.tif 000017
【図１６】
0003175424.tif 000018